(57)【要約】      （修正有）【課題】ねずみに警戒心を与えないで捕獲し、捕獲後処理も容易にする。【解決手段】ねずみ捕獲器本体１と捕獲器蓋２との上下に分けられ、外郭はステンレスで四角の形状にして外側には、開閉扉等の突起物は設けず、本体側面の左右に丸い穴７ａを設ける。餌箱３に乗ったねずみの重さによりＡからＢの状態になる。餌箱３と連動してあるシャフト４が回転して、シャフト４の左右に固定してあるレバー６が下がり、６−Ａから６−Ｂの状態になる。それにより扉ストッパー８がスプリング９によって扉７を引き寄せられ、入口７ａを左右同時に封鎖される。封鎖と同時に扉上部のレール１０に設置してあるＬ金具１４が封鎖と同時に落下し、扉７が開放不可能となる。ねずみ捕獲後、捕獲器蓋２を少し持ち上げ、粘着マットを、差し込み口から、粘着面を内側に向けて粘着マット台金具１３に乗せるように奥まで差し込み、ねずみ捕獲器蓋２を定位置まで戻し、捕獲器全体を上下逆にして捕獲器本体１を外し、粘着マットに付着しているねずみを粘着マットごと捕獲器蓋２から容易に取り出すことが出来る。【選択図】図１
0003117435.tif 000002
【実用新案登録請求の範囲】
【請求項１】
ねずみが餌箱に乗った時、左右の扉が同時に封鎖する捕獲器で、ねずみ捕獲後、粘着マットをねずみ捕獲器差し込み口から進入させ、ねずみを粘着マットに付着させてから取り出せるねずみ捕獲器。
【考案の詳細な説明】
【技術分野】
【０００１】
ねずみ捕獲の仕方とねずみ捕獲後の処理を安易にしたものである。
【背景技術】
【０００２】
従来の開閉扉は落下方式で捕獲器本体が上下に分けられるものはなかった。
【特許文献１】実用昭６１−９２２８１号公報
【考案の開示】
【考案が解決しようとする課題】
【０００３】
ねずみに警戒心を与えないで捕獲するには、捕獲器であっても捕獲器でないように見せることに課題があった。捕獲後もねずみを簡単に処理することに難点があり、本考案はこの課題を解消するためになされたものである。
【課題を解決するための手段】
【０００４】
ねずみ捕獲器の開閉扉を本体の内側に取り付け、スライド式にしてスプリングで左右に開閉可能にした。本体上部には粘着マット差し込み口を設け、本体に蓋をした時、外側からは普通の箱のように見え、開閉扉を開放したときはトンネルに見えるようにした。
【考案の効果】
【０００５】
本考案の特徴は開閉扉が、左右に開閉する形式であるため、コンパクトな設置構成が可能となる。このため箱の外観からは扉が見えにくくなり、ねずみ等の捕獲対象物から感知されにくくなる。また、左右開閉扉形式ゆえのコンパクト構成であり、屋内外に設置しても捕獲器本体を蓋で覆い、外壁もステンレスで加工し、扉は本体の内側に設置することができて、水滴・雨が降っても捕獲機本体の機能を損なうことがない。また、開閉扉のスプリングを強弱に変更することによって餌箱に乗ったねずみを一度に複数捕獲することができる。ねずみ捕獲後も粘着マットを差し込み口から粘着面を内側に向けて差し込み、捕獲器本体を上下逆にしてから本体を取り外し、蓋の内側の粘着マットに付着しているねずみを粘着マットと一緒に取り出せる。
【考案を実施するための最良の形態】
【０００６】
図1(a)において、捕獲器蓋2は捕獲器本体1を、上面全体を覆い密着させるもので、取り外し可能にしてある。材質はステンレスで、水洗いしても錆び等の腐食に耐えるもので、匂いが付いても除去出来るものである。
【０００７】
図1(b)に示すように、捕獲器本体1は外郭はステンレス材質で内部の部品材質は、アルミ、真鍮、ステンレス等の非鉄金属で製作、捕獲器蓋2と同様、水洗い可能で、捕獲器1の内部に溜まった餌の残りかす等を、水洗いしても捕獲器1の内部の機構を損なうことのない材質で構成されている、捕獲器本体1と捕獲器蓋2とを合わせると四角い箱体で左右の側面に丸い穴があいているものである。ねずみ捕獲器の外側には突起物は設けず、捕獲対象物からは警戒心を与えない構造となっている。
【０００８】
図2に示すように、ねずみ捕獲器の機構は、餌箱3に餌を入れ、それを食べようとする、ねずみが餌箱3に乗った時10ミリ程度沈む構造である。図1(b)は、扉封鎖状態を示す側面断面図であり、ねずみが乗ると餌箱3がAからBに移行する。即ちその状態になった時、餌箱3と固定してあるシャフト4が、シャフト押え金具5(注  餌箱3が底面より平行になった時10ミリ程度の空間を保つ位置にシャフト押え金具5を捕獲器本体1に取り付ける)  の中を回転し、シャフト4の両端に固定してあるレバー6が6Aから6Bに移行、スプリング9によって引き寄せられている扉7がレバー6の移行(AからB)によって扉ストッパー8から外れ、扉7が上部レール10と下部レール11との間を通り、ストッパー金具12まで引き寄せられ入口7aの左右の扉封鎖状態となる（図3参照）。このとき、入口7a封鎖と同時にL金具14が上部レール10にある縦溝を通って10ミリ落下し、扉7の開放不可能となる。なお、扉7の封鎖を解除し開放するにはL金具14を持ち上げ、扉7の上部に乗るようにして扉開放状態の位置までもどし扉ストッパー8をレバー6に平行にして引掛ける。
【０００９】
ねずみ捕獲器は、外観から見ても、捕獲対象物からは感知されにくい機構であるが、図2に示すように、餌箱沈下防止ネジ15を使用することによって、餌箱3が沈まず、餌箱3にねずみが乗っても扉7が閉まらない。その状態で餌箱3の中、その周囲、ねずみ捕獲器の外側に餌をまき、ねずみが餌箱3に乗っても扉7が閉まることもなく、ねずみに安心感を与え、ねずみ捕獲器に対して警戒心を取り除き、ねずみが餌箱3の周辺の餌を食べたことを確認してから餌箱沈下防止ネジ15を外し、本格的にねずみの捕獲を行う。図1(b)に示すように、餌箱3はスプリング9の張力によって水平に保たれているが、スプリング9の強弱によって餌箱3の沈下する加重が変わってくる。ねずみの種類によっては、住みつく場所、体重も変わる、くまねずみは屋内に巣を作り、体重も50g前後で、どぶねずみは屋外に住み、体重もくまねずみの数倍の重さがある、捕獲するねずみの重さによってスプリング9を変更し、適切に交換、対処出来る。くまねずみのような軽いねずみの場合スプリング9の調整によって一度に数匹の捕獲も可能となる。
【００１０】
ねずみ捕獲後のねずみの処理の仕方として、図1(a)に示す捕獲器蓋2を10ミリ程度持ち上げ、そのすき間から、ねずみを付着させる為の粘着マットを、粘着マット台13の上に、粘着面を内側に向けて奥まで差し込み、捕獲器蓋2を捕獲する時の状態まで戻す。捕獲器本体1と捕獲器蓋2とを合わせた状態で、上下を逆にして捕獲器本体1を取り外し、捕獲器2の中にある粘着マットに付着してあるねずみを捕獲器蓋2から取り出す。ねずみ等の捕獲対象物の大きさによっても捕獲対策が出来、捕獲後の処理も安易にしたねずみ捕獲器である。
【図面の簡単な説明】
【００１１】
【図１】本考案ねずみ捕獲器の側面断面図(a)蓋    (b)本体
【図２】本考案ねずみ捕獲器の上面断面図
【図３】本考案ねずみ捕獲器の扉開放状態を示す側面断面図
【符号の説明】
【００１２】
１.捕獲器本体
２.捕獲器蓋
３.餌箱
４.シャフト
５.シャフト押さえ金具
６.レバー
７.扉
７a.入り口
８.扉ストッパー
９.スプリング
１０.上部レール
１１.下部レール
１２.ストップ金具
１３.粘着マット台
１４.Ｌ金具
１５.餌箱沈下防止ネジ
【図１】
0003117435.tif 000003
【図２】
0003117435.tif 000004
【図３】
0003117435.tif 000005
【手続補正書】
【提出日】平成17年10月14日(2005.10.14)
【手続補正１】
【補正対象書類名】実用新案登録請求の範囲
【補正対象項目名】全文
【補正方法】変更
【補正の内容】
【実用新案登録請求の範囲】
【請求項１】
蓋部と該蓋部を載置可能な箱体とから成る本体と、
前記箱体内に収容された餌箱と、
前記箱体の側面に開設されると共に左右方向に開閉する扉で封鎖可能な進入口と、
前記蓋部と前記箱体とを離間させて生じる隙間から進入可能な粘着マットと、
を有し、
前記進入口から進入したねずみが前記餌箱に乗ると同時に前記進入口の扉が封鎖され、
該ねずみの捕獲後に前記粘着マットを前記隙間から進入させ、
該ねずみを粘着マットに付着させた状態で取り出す、
ことを特徴とするねずみ捕獲器。
【手続補正２】
【補正対象書類名】明細書
【補正対象項目名】０００４
【補正方法】変更
【補正の内容】
【０００４】
蓋部と該蓋部を載置可能な箱体とから成る本体と、前記箱体内に収容された餌箱と、前記箱体の側面に開設されると共に左右方向に開閉する扉で封鎖可能な進入口と、前記蓋部と前記箱体とを離間させて生じる隙間から進入可能な粘着マットとによりねずみ捕獲器を構成した。即ち、ねずみ捕獲器の開閉扉を本体の内側に取り付け、スライド式にしてスプリングで左右に開閉可能にした。
更に、前記進入口から進入したねずみが前記餌箱に乗ると同時に前記進入口の扉が封鎖され、該ねずみの捕獲後に前記粘着マットを前記隙間から進入させ、該ねずみを粘着マットに付着させた状態で取り出すようにした。